(57)【要約】  本発明は、特定のアミラーゼ変異型を含む組成物、並びにある場所を洗浄および／または処理するための当該組成物の使用を含む、当該組成物を作製および使用するためのプロセスに関する。【特許請求の範囲】
【請求項１】
ａ．）配列番号５を有するアミラーゼであって、以下の群の突然変異のうちの１つを有するアミラーゼ、
（ｉ）Ｍ１５Ｔ＋Ｈ１３３Ｙ＋Ｎ１８８Ｓ＋Ａ２０９Ｖ、
（ｉｉ）Ｍ１５Ｔ＋Ｈ１３３Ｙ＋Ｎ１８８Ｔ＋Ａ２０９Ｖ、
（ｉｉｉ）Ｈ１３３Ｙ＋Ｎ１８８Ｓ＋Ｇ４７５Ｒ、または
（ｉｖ）Ｈ１３３Ｙ＋Ｎ１８８Ｓ、
ｂ．）配列番号６を有するアミラーゼであって、以下の群の突然変異のうちの１つを有する前記アミラーゼ、
（ｉ）Ｍ１５Ｔ＋Ｒ２３Ｋ＋Ｈ１３３Ｙ＋Ｎ１８８Ｓ＋Ａ２０９Ｖ、
（ｉｉ）Ｍ１５Ｔ＋Ｒ２３Ｋ＋Ｈ１３３Ｙ＋Ｎ１８８Ｔ＋Ａ２０９Ｖ、
（ｉｉｉ）Ｒ２３Ｋ＋Ｈ１３３Ｙ＋Ｎ１８８Ｓ＋Ｇ４７５Ｒ、
（ｉｖ）Ｒ２３Ｋ＋Ｈ１３３Ｙ＋Ｎ１８８Ｓ、
（ｖ）Ｍ１５Ｔ＋Ｈ１３３Ｙ＋Ｎ１８８Ｓ＋Ａ２０９Ｖ、
（ｖｉ）Ｍ１５Ｔ＋Ｈ１３３Ｙ＋Ｎ１８８Ｔ＋Ａ２０９Ｖ、
（ｖｉｉ）Ｈ１３３Ｙ＋Ｎ１８８Ｓ＋Ｇ４７５Ｒ、または
（ｖｉｉｉ）Ｈ１３３Ｙ＋Ｎ１８８Ｓ、
および
ｃ．）それらの組み合わせ、
からなる群から選択されるアミラーゼを含む組成物であって、好ましくは０．０００１％〜２％、０．０００５％〜１％、０．００１％〜０．５％、または更に０．００２％〜０．２５％の前記アミラーゼ、および前記組成物を含む洗浄液に、０．１ｐｐｍ〜５００ｐｐｍ、０．２ｐｐｍ〜２００ｐｐｍ、１ｐｐｍ〜１５０ｐｐｍ、２ｐｐｍ〜１００ｐｐｍ、または更に３ｐｐｍ〜５０ｐｐｍの遊離カルシウム濃度を提供するのに十分な量のカルシウムを含む、組成物。
【請求項２】
前記組成物が、配列番号１を有するアミラーゼを含む、請求項１に記載の組成物。
【請求項３】
界面活性剤、ビルダー、キレート剤、移染防止剤、分散剤、追加酵素、および酵素安定剤、触媒物質、漂白剤、高分子分散剤、粘土汚れ除去／再付着防止剤、光沢剤、泡抑制剤、染料、香料、構造弾性剤、柔軟仕上げ剤、キャリア、ヒドロトロープ、加工助剤、溶媒、顔料、色相剤、光漂白剤、構造化剤、およびそれらの混合物からなる群から選択される物質を含む、請求項１または２に記載の組成物。
【請求項４】
前記追加酵素が、ヘミセルラーゼ、ペルオキシダーゼ、プロテアーゼ、セルラーゼ、キシラナーゼ、リパーゼ、ホスホリパーゼ、エステラーゼ、クチナーゼ、ペクチナーゼ、マンナナーゼ、ペクチン酸リアーゼ、ケラチナーゼ、還元酵素、オキシダーゼ、フェノールオキシダーゼ、リポキシゲナーゼ、リグニナーゼ、プルラナーゼ、タンナーゼ、ペントサナーゼ、グルカナーゼ、アラビノシダーゼ、ヒアルロニダーゼ、コンドロイチナーゼ、ラッカーゼ、アミラーゼ、またはそれらの混合物からなる群から選択される、請求項１〜３のいずれか一項に記載の組成物。
【請求項５】
前記追加酵素が、
ａ．）リパーゼ、好ましくは配列番号２と９０％超同一であるリパーゼ、
ｂ．）α−アミラーゼ、好ましくは配列番号３と９０％超同一であるα−アミラーゼ、
ｃ．）セリンプロテアーゼ、好ましくは中性またはアルカリ性のセリンプロテアーゼ、より好ましくはサブチリシン（ＥＣ３．４．２１．６２）、好ましくはバチルス・レンタス（Bacillus lentus）、バチルス・アルカロフィラス（B. alkalophilus）、枯草菌、および／またはバチルス・アミロリケファシエンス（B. amyloliquefaciens）由来のサブチリシン、
ｄ．）微生物由来のエンドグルカナーゼ、好ましくは配列番号４と９０％超同一であるアルカリ性の細菌由来のエンドグルカナーゼ、および
ｅ．）それらの混合物、からなる群から選択される、請求項１〜４のいずれか一項に記載の組成物。
【請求項６】
界面活性剤および／またはポリマーを含み、好ましくは前記界面活性剤が、
ａ．）アニオン性界面活性剤、好ましくは直鎖アルキルベンゼンスルホン酸塩（ＬＡＳ）、アルコールエトキシサルフェート（ＡＥＳ）、中鎖分枝状アルキルサルフェート（ＨＳＡＳ）、およびそれらの混合物からなる群から選択されるアニオン性界面活性剤、
ｂ．）非イオン性界面活性剤、好ましくはアルコールエトキシレートであって、好ましくは１から１４の炭素鎖長を有するアルコールエトキシレート、
ｃ．）アミンオキシド、および
ｄ．）それらの混合物、の群から選択され、および
好ましくは前記ポリマーが、
ａ．）ポリアクリレート、
ｂ．）マレイン酸／アクリル酸共重合体、
ｃ．）セルロース由来ポリマー、好ましくはカルボキシメチルセルロースおよびメチルヒドロキシエチルセルロース、
ｄ．）ポリエチレンイミンポリマー、および
ｅ．）それらの混合物、からなる群から選択される、請求項１〜５のいずれか一項に記載の組成物。
【請求項７】
前記組成物が、総製品重量に基づき、１５％未満、１０％未満、８％未満、または更に０．０１％〜７％のビルダーを含み、好ましくは前記ビルダーが、
ａ．）クエン酸、
ｂ．）Ｃ１２〜Ｃ１８脂肪酸、
ｃ．）アルミノケイ酸塩、好ましくはゼオライトＡ、Ｘ、および／またはＹ、
ｄ．）トリポリリン酸ナトリウム、および
ｅ．）それらの混合物、からなる群から選択される、請求項１〜６のいずれか一項に記載の組成物。
【請求項８】
前記組成物が、光漂白剤、布帛色相剤、およびそれらの混合物からなる群から選択される物質を含み、好ましくは前記光漂白剤が、
ａ．）キサンテン染料、
ｂ．）スルホン化亜鉛フタロシアニン、スルホン化アルミニウムフタロシアニン、エオシンＹ、フロキシンＢ、ローズベンガル、Ｃ．Ｉ．食用赤色１４、およびそれらの混合物、
ｃ．）水溶性フタロシアニン、および
ｄ．）それらの混合物、からなる群から選択され、
および前記布帛色相剤が、好ましくは
ａ．）染料、好ましくは小分子染料、高分子染料、およびそれらの混合物、
ｂ．）少なくとも１つのカチオン性／塩基性染料およびスメクタイト粘土を含む、染料−粘土複合体、および
ｃ．）それらの混合物、からなる群から選択される、請求項１〜７のいずれか一項に記載の組成物。
【請求項９】
配列番号１のアミラーゼと、総製品重量に基づき、１５％未満、１０％未満、８％未満、または更に０．０１％〜７％のビルダーとを含む、組成物。
【請求項１０】
前記組成物が、界面活性剤、キレート剤、移染防止剤、分散剤、追加酵素、および酵素安定剤、触媒物質、漂白剤、高分子分散剤、粘土汚れ除去／再付着防止剤、光沢剤、泡抑制剤、染料、香料、構造弾性剤、キャリア、ヒドロトロープ、加工助剤、溶媒、顔料、色相剤、光漂白剤、構造化剤、およびそれらの混合物からなる群から選択される物質を含む、請求項９に記載の組成物。
【請求項１１】
前記追加酵素が、ヘミセルラーゼ、ペルオキシダーゼ、プロテアーゼ、セルラーゼ、キシラナーゼ、リパーゼ、ホスホリパーゼ、エステラーゼ、クチナーゼ、ペクチナーゼ、マンナナーゼ、ペクチン酸リアーゼ、ケラチナーゼ、還元酵素、オキシダーゼ、フェノールオキシダーゼ、リポキシゲナーゼ、リグニナーゼ、プルラナーゼ、タンナーゼ、ペントサナーゼ、グルカナーゼ、アラビノシダーゼ、ヒアルロニダーゼ、コンドロイチナーゼ、ラッカーゼ、アミラーゼ、およびそれらの混合物からなる群から選択される、請求項９または１０に記載の組成物。
【請求項１２】
前記追加酵素が、
ａ．）リパーゼ、好ましくは配列番号２と９０％超同一であるリパーゼ、
ｂ．）α−アミラーゼ、好ましくは配列番号３と９０％超同一であるα−アミラーゼ、
ｃ．）セリンプロテアーゼ、好ましくは中性またはアルカリ性のセリンプロテアーゼ、より好ましくはサブチリシン（ＥＣ３．４．２１．６２）、好ましくはバチルス・レンタス（Bacillus lentus）、バチルス・アルカロフィラス（B. alkalophilus）、枯草菌、および／またはバチルス・アミロリケファシエンス（B. amyloliquefaciens）由来のサブチリシン、
ｄ．）微生物由来のエンドグルカナーゼ、好ましくは配列番号４と９０％超同一であるアルカリ性の細菌由来のエンドグルカナーゼ、および
ｅ．）それらの混合物、からなる群から選択される、請求項９〜１１のいずれか一項に記載の組成物。
【請求項１３】
界面活性剤および／またはポリマーを含み、好ましくは前記界面活性剤が、
ａ．）アニオン性界面活性剤、好ましくは直鎖アルキルベンゼンスルホン酸塩（ＬＡＳ）、アルコールエトキシサルフェート（ＡＥＳ）、中鎖分枝状アルキルサルフェート（ＨＳＡＳ）、およびそれらの混合物からなる群から選択されるアニオン性界面活性剤、
ｂ．）非イオン性界面活性剤、好ましくはアルコールエトキシレートであって、好ましくは１から１４の炭素鎖長を有するアルコールエトキシレート、
ｃ．）アミンオキシド、および
ｄ．）それらの混合物、の群から選択され、および
好ましくは前記ポリマーが、
ａ．）ポリアクリレート、
ｂ．）マレイン酸／アクリル酸共重合体、
ｃ．）セルロース由来ポリマー、好ましくはカルボキシメチルセルロースおよびメチルヒドロキシエチルセルロース、
ｄ．）ポリエチレンイミンポリマー、および
ｅ．）それらの混合物、からなる群から選択される、請求項９〜１２のいずれか一項に記載の組成物。
【請求項１４】
光漂白剤、布帛色相剤、およびそれらの混合物からなる群から選択される物質を含み、好ましくは前記光漂白剤が、
ａ．）キサンテン染料、
ｂ．）スルホン化亜鉛フタロシアニン、スルホン化アルミニウムフタロシアニン、エオシンＹ、フロキシンＢ、ローズベンガル、Ｃ．Ｉ．食用赤色１４、およびそれらの混合物、
ｃ．）水溶性フタロシアニン、および
ｄ．）それらの混合物からなる群から選択され、
および前記布帛色相剤が、好ましくは
ａ．）染料、好ましくは小分子染料、高分子染料、およびそれらの混合物、
ｂ．）少なくとも１つのカチオン性／塩基性染料およびスメクタイト粘土を含む染料−粘土複合体、および
ｃ．）それらの混合物、からなる群から選択される、請求項９〜１３のいずれか一項に記載の組成物。
【請求項１５】
Ｅ．Ｃ．３．２．１．１を有するアミラーゼ酵素、および界面活性剤、キレート剤、移染防止剤、分散剤、追加酵素、および酵素安定剤、触媒物質、漂白剤、高分子分散剤、粘土汚れ除去／再付着防止剤、光沢剤、泡抑制剤、染料、香料、構造弾性剤、柔軟仕上げ剤、キャリア、ヒドロトロープ、加工助剤、溶媒、顔料、色相剤、光漂白剤、構造化剤、およびそれらの混合物からなる群から選択される物質を含む組成物であって、少なくとも２．５、少なくとも２．６、または更に２．７〜５０の酵素付着指数を有する組成物。
【請求項１６】
前記追加酵素が、ヘミセルラーゼ、ペルオキシダーゼ、プロテアーゼ、セルラーゼ、キシラナーゼ、リパーゼ、ホスホリパーゼ、エステラーゼ、クチナーゼ、ペクチナーゼ、マンナナーゼ、ペクチン酸リアーゼ、ケラチナーゼ、還元酵素、オキシダーゼ、フェノールオキシダーゼ、リポキシゲナーゼ、リグニナーゼ、プルラナーゼ、タンナーゼ、ペントサナーゼ、グルカナーゼ、アラビノシダーゼ、ヒアルロニダーゼ、コンドロイチナーゼ、ラッカーゼ、アミラーゼ、またはそれらの混合物からなる群から選択される、請求項１５に記載の組成物。
【請求項１７】
前記追加酵素が、
ａ．）リパーゼ、好ましくは配列番号２と９０％超同一であるリパーゼ、
ｂ．）α−アミラーゼ、好ましくは配列番号３と９０％超同一であるα−アミラーゼ、
ｃ．）セリンプロテアーゼ、好ましくは中性またはアルカリ性のセリンプロテアーゼ、より好ましくはサブチリシン（ＥＣ３．４．２１．６２）、好ましくはバチルス・レンタス（Bacillus lentus）、バチルス・アルカロフィラス（B. alkalophilus）、枯草菌、および／またはバチルス・アミロリケファシエンス（B. amyloliquefaciens）由来のサブチリシン、
ｄ．）微生物由来のエンドグルカナーゼ、好ましくは配列番号４と９０％超同一であるアルカリ性の細菌由来のエンドグルカナーゼ、および
ｅ．）それらの混合物からなる群から選択される、請求項１５または１６に記載の組成物。
【請求項１８】
界面活性剤および／またはポリマーを含み、好ましくは前記界面活性剤が、
ａ．）アニオン性界面活性剤、好ましくは直鎖アルキルベンゼンスルホン酸塩（ＬＡＳ）、アルコールエトキシサルフェート（ＡＥＳ）、中鎖分枝状アルキルサルフェート（ＨＳＡＳ）、およびそれらの混合物からなる群から選択されるアニオン性界面活性剤、
ｂ．）非イオン性界面活性剤、好ましくはアルコールエトキシレートであって、好ましくは１から１４の炭素鎖長を有するアルコールエトキシレート、
ｃ．）アミンオキシド、および
ｄ．）それらの混合物、の群から選択され、および
好ましくは前記ポリマーが、
ａ．）ポリアクリレート、
ｂ．）マレイン酸／アクリル酸共重合体、
ｃ．）セルロース由来ポリマー、好ましくはカルボキシメチルセルロースおよびメチルヒドロキシエチルセルロース、
ｄ．）ポリエチレンイミンポリマー、および
ｅ．）それらの混合物からなる群から選択される、請求項１５〜１７のいずれか一項に記載の組成物。
【請求項１９】
前記組成物が、総製品重量に基づき、１５％未満、１０％未満、８％未満、または更に０．０１％〜７％のビルダーを含み、前記ビルダーが、
ａ．）クエン酸、
ｂ．）Ｃ１２〜Ｃ１８脂肪酸、
ｃ．）アルミノケイ酸塩、好ましくはゼオライトＡ、Ｘ、および／またはＹ、
ｄ．）トリポリリン酸ナトリウム、および
ｅ．）それらの混合物からなる群から選択される、請求項１５〜１８項のいずれか一項に記載の組成物。
【請求項２０】
前記組成物が、光漂白剤、色相剤、およびそれらの混合物からなる群から選択される物質を含み、好ましくは前記光漂白剤が、
ａ．）キサンテン染料、
ｂ．）スルホン化亜鉛フタロシアニン、スルホン化アルミニウムフタロシアニン、エオシンＹ、フロキシンＢ、ローズベンガル、Ｃ．Ｉ．食用赤色１４、およびそれらの混合物、
ｃ．）水溶性フタロシアニン、および
ｄ．）それらの混合物からなる群から選択され、
および好ましくは前記布帛色相剤が、
ａ．）染料、好ましくは小分子染料、高分子染料、およびそれらの混合物、
ｂ．）少なくとも１つのカチオン性／塩基性染料およびスメクタイト粘土を含む、染料−粘土複合体、および
ｃ．）それらの混合物からなる群から選択される、請求項１５〜１９のいずれか一項に記載の組成物。
【請求項２１】
表面または布帛の処理および／または洗浄方法であって、所望により前記表面または布帛を洗うおよび／またはすすぎ洗いする工程、前記表面または布帛を請求項１〜２０のいずれか一項に記載の組成物と接触させる工程、次いで、所望により前記表面または布帛を洗うおよび／またはすすぎ洗いする工程を含む、表面または布帛の処理および／または洗浄方法。
【請求項２２】
酵素の付着指数を決定する方法であって、試験方法２に従い、酵素の酵素付着指数を決定することを含む、方法。
【発明の詳細な説明】
【技術分野】
【０００１】
酵素を含む組成物、並びに該組成物の作製および使用プロセス。
【背景技術】
【０００２】
洗浄および／または処理用途に適した酵素の登場により、配合者には、頑丈な表面または布帛の洗浄および／または処理に対する新しい手法が与えられた。
【発明の開示】
【発明が解決しようとする課題】
【０００３】
残念ながら、酵素が用いられた場合でさえも、性能問題が残る。例えば、特定の基質および／または使用条件では、酵素は、所望の性能を提供するために必要とされるほど効率良く付着しない。従って、この技術の使用は、依然として限られている。
【課題を解決するための手段】
【０００４】
意外にも、特定のα−アミラーゼを含む洗浄組成物が、本発明の教示に従い配合されると、該組成物は洗浄の改良をもたらすことができる。
【０００５】
本発明は、特定のα−アミラーゼ酵素を含む組成物、並びに該製品の作製および使用プロセスに関する。
【発明を実施するための最良の形態】
【０００６】
定義
本明細書で使用する時、「洗浄組成物」という用語は、他に指示がない限り、顆粒または粉末形態の万能または「重質」洗浄剤、特に洗濯洗剤、液体、ゲルまたはペースト形態の万能洗浄剤、特にいわゆる重質液体型、液体の高級布地用洗剤、手洗い食器洗浄剤、または軽質食器洗浄剤、特に高起泡型のもの、種々の錠剤、顆粒、液体および家庭および企業での使用のためのリンス補助型を含む機械食器洗浄剤、抗菌ハンドウォッシュ型、洗濯バー、うがい薬、義歯クリーナー、車またはカーペット用シャンプー、浴室クリーナーを含む液体洗浄剤および消毒剤、ヘアシャンプーおよびヘアリンス、シャワージェルおよび泡バスおよび金属クリーナー、並びに、漂白添加物質および「染み用スティック」、または前処理型のような洗浄補助剤を含む。
【０００７】
本明細書で使用する時、「独立して、〜からなる群から選択される」という言い回しは、引用されるマルクーシュ群から選択される部分または要素が同じか、異なるか、または任意の要素の混合物であってもよいことを意味する。
【０００８】
本明細書で使用する時、例えば特許請求の範囲で使用される場合の「ａ」および「ａｎ」のような冠詞は、１つ以上の請求または記載されるものを意味すると理解される。
【０００９】
本明細書で使用する時、「包含する（include）」、「包含する（includes）」および「包含している（including）」という言葉は、限定することを意図しない。
【００１０】
本出願人らの発明のパラメータの各値を求めるためには、本出願の試験方法の項で開示する試験方法が用いられなければならない。
【００１１】
特に記載のない限り、構成成分または組成物の濃度は全て、その構成成分または組成物の活性レベルに関するものであり、市販の供給源に存在し得る不純物、例えば残留溶媒または副生成物は除外される。
【００１２】
特に記載のない限り、本発明の酵素は、活性タンパク質レベルによって表現され、例えば残留溶媒または副生成物のような、市販の供給源に存在し得る不純物は除く。
【００１３】
百分率および比率は全て、特に指示がない限り、重量で計算される。百分率および比率は全て、特に指示がない限り、組成物全体を基準にして計算される。
【００１４】
本明細書を通じて与えられるあらゆる最大数の限定は、あらゆる低い数値の限定を、あたかもそのような低い数値の限定が本明細書に明確に記載されているかのように含むと理解されなければならない。本明細書全体を通じて記載される最小数値限定は、それより大きいあらゆる数値限定を、そのような大きい数値限定が本明細書に明確に記載されているかのように含む。本明細書全体を通じて記載される数値範囲は、そのようなより広い数値範囲内に入るそれよりも狭いあらゆる数値範囲を、そのようなより狭い数値範囲が全て本明細書に明確に記載されているかのように含む。
【００１５】
組成物
一態様において、アミラーゼと、
ａ．）前記組成物を含む洗浄液に、試験方法１で決定される、約０．１ｐｐｍ〜約５００ｐｐｍ、約０．２ｐｐｍ〜約２００ｐｐｍ、約１ｐｐｍ〜約１５０ｐｐｍ、または約２ｐｐｍ〜約１００ｐｐｍ、または更に約３ｐｐｍ〜約５０ｐｐｍの、遊離カルシウム濃度を提供するのに十分な量のカルシウムと、
ｂ．）総製品重量に基づき、１５％未満、１０％未満、８％未満、または更に約０．０１％〜約７％のビルダーと、および／または
ｃ．）試験方法２で定義される、少なくとも２．５、少なくとも２．６、または更に約２．７〜約５０の酵素付着指数とを含む、組成物を開示する。
【００１６】
該組成物は、総組成物重量に基づき、約０．０００１％〜約２％、約０．０００５％〜約１％、約０．００１％〜約０．５％、または更に約０．００２％〜約０．２５％の前記酵素を含んでよい。該組成物は、洗浄および／または処理組成物であってよい。従って、それらは固体または流動体であってよいことが理解される。
【００１７】
一態様において、前記アミラーゼは、配列番号５または６、または前記配列番号５または６と少なくとも６５％、７０％、７５％、８０％、８５％、９０％、９５％、または更に９９％同一である酵素を有するバチルス・リケニフォルミス由来のα−アミラーゼを含む。該α−アミラーゼは、配列番号５または６に相当する位置に、次の突然変異のうちの少なくとも１つを有する：１５、２３、１３３、１８８、２０９、４７５、または前記位置の組み合わせ。
【００１８】
別の態様において、前記アミラーゼ酵素は、配列番号５（本明細書において、配列番号５は、米国特許第５，９５８，７３９号における配列番号３４に等しい）を有するバチルス・リケニフォルミス由来のα−アミラーゼ、または前記配列番号５と少なくとも６５％、７０％、７５％、８０％、８５％、９０％、９５％、または更に９９％の同一性を有する酵素を含む。該α−アミラーゼは、次の突然変異のうちの１つ以上を含む：Ｍ１５Ｔ、Ｈ１３３Ｙ、Ｎ１８８Ｓ若しくはＴ、Ａ２０９Ｖ、またはＧ４７５Ｒ。
【００１９】
別の態様において、前記アミラーゼ酵素は、配列６（本明細書において、配列番号６は、米国特許第６，４３６，８８８（Ｂ１）号における配列番号２と等しい）を有するバチルス・リケニフォルミス由来のα−アミラーゼ、または前記配列番号６と少なくとも６５％、７０％、７５％、８０％、８５％、９０％、９５％、または更に９９％の同一性を有する酵素を含む。該α−アミラーゼは、次の突然変異のうちの１つ以上を含む：Ｍ１５Ｔ、Ｈ１３３Ｙ、Ｎ１８８Ｓ若しくはＴ、Ａ２０９Ｖ、またはＧ４７５Ｒ；および所望によりＲ２３Ｋ。
【００２０】
一態様において、前記アミラーゼ酵素は、
ａ．）配列番号５を有するアミラーゼであって、以下の群の突然変異のうちの１つを有するアミラーゼと、
（ｉ）Ｍ１５Ｔ＋Ｈ１３３Ｙ＋Ｎ１８８Ｓ＋Ａ２０９Ｖ、
（ｉｉ）Ｍ１５Ｔ＋Ｈ１３３Ｙ＋Ｎ１８８Ｔ＋Ａ２０９Ｖ、
（ｉｉｉ）Ｈ１３３Ｙ＋Ｎ１８８Ｓ＋Ｇ４７５Ｒ、または
（ｉｖ）Ｈ１３３Ｙ＋Ｎ１８８Ｓ、
ｂ．）配列番号６を有するアミラーゼであって、以下の群の突然変異のうちの１つを有するアミラーゼと、
（ｉ）Ｍ１５Ｔ＋Ｒ２３Ｋ＋Ｈ１３３Ｙ＋Ｎ１８８Ｓ＋Ａ２０９Ｖ、
（ｉｉ）Ｍ１５Ｔ＋Ｒ２３Ｋ＋Ｈ１３３Ｙ＋Ｎ１８８Ｔ＋Ａ２０９Ｖ、
（ｉｉｉ）Ｒ２３Ｋ＋Ｈ１３３Ｙ＋Ｎ１８８Ｓ＋Ｇ４７５Ｒ、
（ｉｖ）Ｒ２３Ｋ＋Ｈ１３３Ｙ＋Ｎ１８８Ｓ、
（ｖ）Ｍ１５Ｔ＋Ｈ１３３Ｙ＋Ｎ１８８Ｓ＋Ａ２０９Ｖ、
（ｖｉ）Ｍ１５Ｔ＋Ｈ１３３Ｙ＋Ｎ１８８Ｔ＋Ａ２０９Ｖ、
（ｖｉｉ）Ｈ１３３Ｙ＋Ｎ１８８Ｓ＋Ｇ４７５Ｒ、または
（ｖｉｉｉ）Ｈ１３３Ｙ＋Ｎ１８８Ｓ、
およびそれらの組み合わせと、からなる群から選択されるアミラーゼを含む。
【００２１】
一態様において、配列番号１を有する酵素等のＥＣ３．２．１．１に属するアミラーゼと、
ａ．）前記組成物を含む洗浄液に、試験方法１で決定される、約０．１ｐｐｍ〜約５００ｐｐｍ、約０．２ｐｐｍ〜約２００ｐｐｍ、約１ｐｐｍ〜約１５０ｐｐｍ、または約２ｐｐｍ〜約１００ｐｐｍ、または更に約３ｐｐｍ〜約５０ｐｐｍの、遊離カルシウム濃度を提供するのに十分な量のカルシウムと、
ｂ．）総製品重量に基づき、１５％未満、１０％未満、８％未満、または更に約０．０１％〜約７％のビルダーと、および／または
ｃ．）試験方法２で定義される、少なくとも２．５、少なくとも２．６、または更に約２．７〜約５０の酵素付着指数とを含む、組成物を開示する。
【００２２】
該組成物は、総組成物重量に基づき、約０．０００１％〜約２％、約０．０００５％〜約１％、約０．００１％〜約０．５％、または更に約０．００２％〜約０．２５％の前記酵素を含んでよい。該組成物は、洗浄および／または処理組成物であってよい。従って、それらは固体または流動体であってよいことが理解される。
【００２３】
本明細書に記載の前記組成物のいかなる態様も、界面活性剤、ビルダー、キレート剤、移染防止剤、分散剤、追加酵素、および酵素安定剤、触媒物質、漂白剤、高分子分散剤、粘土汚れ除去／再付着防止剤、光沢剤、泡抑制剤、染料、香料、構造弾性剤、柔軟仕上げ剤、キャリア、ヒドロトロープ、加工助剤、溶媒、顔料、色相剤、構造化剤、およびそれらの混合物からなる群から選択される物質を含んでよい。
【００２４】
本明細書に記載の前記組成物のいかなる態様も、ヘミセルラーゼ、ペルオキシダーゼ、プロテアーゼ、セルラーゼ、キシラナーゼ、リパーゼ、ホスホリパーゼ、エステラーゼ、クチナーゼ、ペクチナーゼ、マンナナーゼ、ペクチン酸リアーゼ、ケラチナーゼ、還元酵素、オキシダーゼ、フェノールオキシダーゼ、リポキシゲナーゼ、リグニナーゼ、プルラナーゼ、タンナーゼ、ペントサナーゼ、グルカナーゼ、アラビノシダーゼ、ヒアルロニダーゼ、コンドロイチナーゼ、ラッカーゼ、アミラーゼ、またはそれらの混合物からなる群から選択される、追加酵素を含んでよい。
【００２５】
一態様において、該追加酵素は、米国特許第６，９３９，７０２（Ｂ１）号に記載の「第１周期リパーゼ」（本明細書において、配列番号２は、米国特許第６，９３９，７０２（Ｂ１）号における配列番号１に等しい）、配列番号２の変異型、電気的に中性または負の電荷を持つアミノ酸を、３、２２４、２２９、２３１、および２３３の位置のうちのいずれかで、ＲまたはＫと置換することを含む、配列番号２と少なくとも９０％同一である配列番号２の変異型、またはＴ２３１ＲおよびＮ２３３Ｒ突然変異を含む変異型（該変異型は、商標名ライペックス（Lipex）（登録商標）で販売されている）さえも含む、リパーゼ；配列番号３の変異型（配列番号３は、米国特許第５，８５６，１６４号における配列番号２に相当）、１８３および１８４の位置に２つの欠失を含み、商標名ナタラーゼ（Natalase）（登録商標）で販売されている、配列番号３と少なくとも９０％同一である配列番号３の変異型（該変異型は米国特許第６，１８７，５７６号に記載）を含む、α−アミラーゼ；米国特許第６，３１２，９３６（Ｂ１）号、同第５，６７９，６３０号、同第４，７６０，０２５号に記載のバチルス・レンタス（Bacillus lentus）、バチルス・アルカロフィラス（B. alkalophilus）、枯草菌、バチルス・アミロリケファシエンス（B. amyloliquefaciens）由来のものを含む、サブチリシン（ＥＣ３．４．２１．６２）のような、中性またはアルカリ性の微生物セリンプロテアーゼを含む、セリンプロテアーゼ；配列番号４（本明細書において、配列番号４は、米国特許出願公開第２００５／０１１２７４９（Ａ１）号における配列番号２に等しい）のアミノ酸配列と、少なくとも９０％、９４％、９７％、および更に９９％同一の配列を有する、バチルス属の一員に内因の細菌性ポリペプチドを含む、エンド−β−１，４−グルカナーゼ活性を呈する微生物由来のエンドグルカナーゼ（Ｅ．Ｃ．３．２．１．４）（該酵素はノボザイムズ（Novozymes）により商標名セルクリーン（Celluclean）で市販（商標））、およびそれらの混合物からなる群から選択されてよい。
【００２６】
本明細書に記載の組成物のいかなる態様も、直鎖アルキルベンゼンスルホン酸塩（ＬＡＳ）、アルコールエトキシサルフェート（ＡＥＳ）、中鎖分枝状アルキルサルフェート（ＨＳＡＳ）、およびそれらの混合物からなる群から選択されるアニオン性界面活性剤を含む、アニオン性界面活性剤の群から選択される界面活性剤を含む、界面活性剤、例えば１〜１４の炭素、または１２〜１４の炭素鎖長を有するアルコールエトキシレート等のアルコールエトキシレートを含む、非イオン性界面活性剤、アミンオキシド、およびそれらの混合物を含んでよい。
【００２７】
本明細書に記載の組成物のいかなる態様も、ポリアクリレート、マレイン酸／アクリル酸共重合体、カルボキシメチルセルロースおよびメチルヒドロキシエチルセルロースを含む、セルロース由来ポリマー、ポリエチレンイミンポリマー、およびそれらの混合物からなる群から選択されるポリマーを含むポリマーを含んでよい。
【００２８】
本明細書に記載の前記組成物のいかなる態様も、クエン酸、Ｃ１２〜Ｃ１８脂肪酸、ゼオライトＡ、Ｘ、および／またはＹを含むアルミノケイ酸塩、ポリリン酸ナトリウム、およびそれらの混合物からなる群から選択されるビルダーを含んでよい。
【００２９】
本明細書に記載の組成物のいかなる態様も、光漂白剤、布帛色相剤、およびそれらの混合物からなる群から選択される物質を含んでよい。
【００３０】
本明細書に記載の組成物のいかなる態様も、キサンテン染料およびそれらの混合物からなる群から選択される光漂白剤；スルホン化亜鉛フタロシアニン、スルホン化アルミニウムフタロシアニン、エオシンＹ、フロキシンＢ、ローズベンガル、Ｃ．Ｉ．食用赤色１４、およびそれらの混合物；水溶性フタロシアニン；および／または色素指数（英国ブラッドフォードの染料染色学会（Society of Dyers and Colourists））番号ダイレクトバイオレット９、ダイレクトバイオレット３５、ダイレクトバイオレット４８、ダイレクトバイオレット５１、ダイレクトバイオレット６６、ダイレクトブルー１、ダイレクトブルー７１、ダイレクトブルー８０、ダイレクトブルー２７９、アシッドレッド１７、アシッドレッド７３、アシッドレッド８８、アシッドレッド１５０、アシッドバイオレット１５、アシッドバイオレット１７、アシッドバイオレット２４、アシッドバイオレット４３、アシッドバイオレット４９、アシッドブルー１５、アシッドブルー１７、アシッドブルー２５、アシッドブルー２９、アシッドブルー４０、アシッドブルー４５、アシッドブルー７５、アシッドブルー８０、アシッドブルー８３、アシッドブルー９０およびアシッドブルー１１３、アシッドブラック１、塩基性バイオレット１、塩基性バイオレット３、塩基性バイオレット４、塩基性バイオレット１０、塩基性バイオレット３５、塩基性ブルー３、塩基性ブルー１６、塩基性ブルー２２、塩基性ブルー４７、塩基性ブルー６６、塩基性ブルー７５、塩基性ブルー１５９、およびそれらの混合物、高分子染料およびそれらの混合物、少なくとも１つのカチオン性／塩基性染料およびスメクタイト粘土を含む、染料−粘土複合体およびそれらの混合物からなる群から選択される小分子染料等の、小分子染料を含む染料からなる群から選択される布帛色相剤を含んでよい。
【００３１】
本明細書に記載の組成物のいかなる態様も、総製品重量に基づき、約０％〜約３％、約０．０００１％〜約０．５％、または更に約０．０００５％〜約０．３％の光漂白剤および／または約０．００００３％〜約０．３％、約０．００００８％〜約０．０５％、または更に約０．０００１％〜約０．０４％の色相剤を含んでよい。
【００３２】
本組成物における使用に適した酵素は、ジェネンコア・インターナショナル（Genencor International）（米国カリフォルニア州パロアルト）、ノボザイム社（Novozymes A/S）（デンマーク、バウスヴェド）、アメルシャム・ファーマシア・バイオテック（Amersham Pharmacia Biotech.）（米国ニュージャージー州ピスカタウェイ）、シグマ・アルドリッチ（Sigma-Aldrich Company Ltd.）（英国ドーセット州）から入手が可能である。
【００３３】
配列番号１を有する酵素は、ジェネンコア・インターナショナル（Genencor International）（米国カリフォルニア州パロアルト）により、商標名オプティサイズＨＴプラス（Optisize HT Plus）（登録商標）で販売されている。配列番号２と少なくとも９０％同一である酵素は、ノボザイム社（Novozymes A/S）（デンマーク、バウスヴェド）により、商標名ライペックス（Lipex）（登録商標）で販売されている。配列番号３と少なくとも９０％同一である酵素は、ノボザイム社（Novozymes A/S）（デンマーク、バウスヴェド）により、商標名ナタラーゼ（Natalase）（登録商標）で販売されている。配列番号４と少なくとも９０％同一である酵素は、ノボザイム社（Novozymes A/S）（デンマーク、バウスヴェド）により、商標名セルクリーン（Celluclean）（商標）で販売されている。配列番号５を有する酵素は、ジェネンコア・インターナショナル（Genencor International）（米国カリフォルニア州パロアルト）により、プラスター（Purastar）（登録商標）の商標名で販売されている。配列番号６を有する酵素は、ノボザイム社（Novozymes A/S）（デンマーク、バウスヴェド）により、ターマミル（Termamyl）（登録商標）の商標名で販売されている。
【００３４】
本組成物における使用に適した界面活性剤は、ステパン（Stepan）（米国イリノイ州ノースフィールド）、ハンツマン（Huntsman）（米国ユタ州ソルトレークシティ）、プロクター＆ギャンブル・ケミカルズ（Procter & Gamble Chemicals）（米国オハイオ州シンシナティ）から入手可能である。
【００３５】
本組成物における使用に適したビルダーは、ローディア（Rhodia）（フランス、パリ）、インダストリアル・ゼオライト（英国）社（Industrial Zeolite （UK） Ltd）（英国エセックス州グレイズ）、コマ（Koma）（チェコ共和国、ネステミカ（Nestemica））から入手可能である。
【００３６】
本組成物における使用に好適なポリマーは、ＢＡＳＦ（ドイツ、ルードヴィヒスハーフェン）、ＣＰＫｅｌｃｏ（オランダ、アルンヘム）から入手可能である。
【００３７】
本組成物における使用に適した光漂白剤は、アルドリッチ（Aldrich）（米国ウィスコンシン州ミルウォーキー）、フロンティアサイエンティフィック（Frontier Scientific）（米国ユタ州ローガン）、チバスペシャルティケミカルズ（Ciba Specialty Chemicals）（スイス、バーゼル）、ＢＡＳＦ（ドイツ、ルードヴィヒスハーフェン）、ランベルティ社（Lamberti S.p.A）（イタリア、ガッララーテ）、デイグローカラーコーポレーション（Dayglo Color Corporation）（インド、ムンバイ）、オーガニックダイスタフス社（Organic Dyestuffs Corp.）（米国ロードアイランド州イーストプロビデンス）から入手可能である。
【００３８】
本組成物における使用に適した色相剤は、アルドリッチ（Aldrich）（米国ウィスコンシン州ミルウォーキー）、チバスペシャルティケミカルズ（Ciba Specialty Chemicals）（スイス、バーゼル）、ＢＡＳＦ（ドイツ、ルードヴィヒスハーフェン）、デイグローカラーコーポレーション（Dayglo Color Corporation）（インド、ムンバイ）、オーガニックダイスタフス社（Organic Dyestuffs Corp.）（米国ロードアイランド州イーストプロビデンス）、ダイスター（Dystar）（ドイツ、フランクフルト）、ランクセス（Lanxess）（ドイツ、レーバークーゼン）、メガザイム（Megazyme）（アイルランド、ウィックロー）、クラリアント（Clariant）（スイス、ムテンツ）から入手可能である。
【００３９】
補助剤物質
本発明の目的には必須でないが、以下に例示されている補助剤の非限定的なリストは、当該組成物中で使用するのに適しており、例えば、洗浄性能を補助若しくは向上させるために、洗浄すべき基材の処理のために、または香料、着色剤、染料などを用いる場合のように洗浄組成物の審美性を変化させるために、本発明の特定の実施形態に組み込むのが望ましい。このような追加的成分の明確な性質、およびそれを組み込む濃度が、組成物の物理的形態および使用されるべき洗浄作業の性質によることになる。好適な補助剤物質には、追加界面活性剤、追加ビルダー、追加ポリマー、追加色相剤、追加光漂白剤、キレート剤、移染防止剤、分散剤、追加酵素、および酵素安定剤、触媒物質、漂白活性化剤、過酸化水素、過酸化水素の供給源、予備成形された過酸、高分子分散剤、粘土汚れ除去／再付着防止剤、光沢剤、泡抑制剤、染料、香料、構造弾性剤、柔軟仕上げ剤、キャリア、ヒドロトロープ、加工助剤、溶媒、追加色相剤、構造化剤および／または顔料が挙げられるが、これらに限定されない。下記の開示に加え、そのようなその他の補助剤の好適な例および使用濃度は、米国特許第５，５７６，２８２号、同第６，３０６，８１２（Ｂ１）号および同第６，３２６，３４８（Ｂ１）号に見出され、これらは参照することにより本明細書に組み込まれる。
【００４０】
上述の如く、補助成分は、本出願人らの組成物には必須ではない。従って、本出願人らの組成物の特定の実施形態は、次の補助剤物質のうちの１つ以上を含まない：追加界面活性剤、追加ビルダー、追加ポリマー、追加光漂白剤、キレート剤、移染防止剤、分散剤、追加酵素、および酵素安定剤、触媒物質、漂白活性化剤、過酸化水素、過酸化水素の供給源、予備成形された過酸、高分子分散剤、粘土汚れ除去／再付着防止剤、光沢剤、泡抑制剤、染料、香料、構造弾性剤、柔軟仕上げ剤、キャリア、ヒドロトロープ、加工助剤、溶媒、追加色相剤、構造化剤、および／または顔料。しかしながら、１つ以上の補助剤が存在する場合、該１以上の補助剤は、以下に詳細に記載されるように存在してもよい。
【００４１】
漂白剤−本発明の洗浄組成物が、１つ以上の漂白剤を含んでよい。漂白触媒以外の適切な漂白剤としては、光漂白剤、漂白活性化剤、過酸化水素、過酸化水素源、予備形成過酸、およびこれらの混合物が挙げられる。一般的に、漂白剤が使用される場合、本発明の組成物は漂白剤を、標記洗浄組成物の約０．１重量％〜約５０重量％または更に約０．１重量％〜約２５重量％含んでよい。適切な漂白剤の例としては、以下のものが挙げられる。
【００４２】
（１）光漂白剤
（２）予備形成済み過酸、適切な予備形成済み過酸としては、過カルボン酸および塩、過炭酸および塩、ペルイミド酸および塩、ペルオキシ一硫酸および塩（例えばオキソン（Oxone）（登録商標）など）、並びに、これらの混合物からなる群から選択される化合物が挙げられるが、これらに限らない。好適な過カルボン酸としては、化学式Ｒ−（Ｃ＝Ｏ）Ｏ−Ｏ−Ｍを有する疎水性および親水性過酸が挙げられる（式中、Ｒはアルキル基であり、所望により分岐しており、過酸が疎水性の場合には、６〜１４個の炭素原子、または８〜１２個の炭素原子を有し、過酸が親水性の場合には、６個未満の炭素原子、または更には４個未満の炭素原子を有し、Ｍは、対イオン（例えば、ナトリウム、カリウムまたは水素）である。
（３）アルカリ金属塩、例えば過ホウ酸塩（通常は１または４水和物）、過炭酸塩、過硫酸塩、過リン酸塩、過ケイ酸塩のナトリウム塩、およびこれらの混合物などの過酸化水素源（例えば無機過水和物塩）。発明の１つの態様では、無機過水和物塩は、過ホウ酸塩、過炭酸塩のナトリウム塩およびそれらの混合物から成る群から選択される。無機過水和物塩（用いた場合）は、典型的には、全組成物の０．０５〜４０重量％、または１〜３０重量％の量で存在し、典型的には、そのような組成物中へ結晶固形物（コーティングされていてもよい）として組み込まれる。適切なコーティングとしては、無機塩（アルカリ金属シリケート、カーボネート若しくはボレート塩、またはこれらの混合物など）、または有機物質（水溶性若しくは分散性ポリマー、ワックス、油、または脂肪石鹸など）が挙げられる。
（４）Ｒ−（Ｃ＝Ｏ）−Ｌを有する漂白活性化剤（式中、Ｒはアルキル基であり、所望により分岐しており、前記漂白活性化剤が疎水性の場合には、６〜１４個の炭素原子、または８〜１２個の炭素原子を有し、前記漂白活性化剤が親水性の場合には、６個未満の炭素原子、または更には４個未満の炭素原子を有し、Ｌは脱離基である）好適な脱離基の例は、安息香酸およびその誘導体（特に、ベンゼンスルホネート）である。適切な漂白活性化剤としては、ドデカノイルオキシベンゼンスルホネート、デカノイルオキシベンゼンスルホネート、デカノイルオキシベンゾイン酸またはその塩、３，５，５−トリメチルヘキサノイルオキシベンゼンスルホネート、テトラアセチルエチレンジアミン（ＴＡＥＤ）およびノナノイルオキシベンゼンスルホネート（ＮＯＢＳ）が挙げられる。好適な漂白活性化剤は、国際公開第９８／１７７６７号にも開示される。いずれかの好適な漂白活性化剤も使用してもよいが、本発明の１つの態様では、標記洗浄組成物は、ＮＯＢＳ、ＴＡＥＤまたはこれらの混合物を含んでよい。
【００４３】
存在する場合、過酸および／または漂白活性化剤は一般に、組成物を基準にして、約０．１〜約６０重量％、約０．５〜約４０重量％または更に約０．６〜約１０重量％の量で、組成物中に存在する。１つ以上の疎水性過酸またはその前駆体は、１つ以上の親水性過酸またはその前駆体と組合せて使用してよい。
【００４４】
過酸化水素供給源および過酸または漂白活性化剤の量は、有効酸素（過酸化物供給源より供給される）対過酸のモル比が、１：１〜３５：１、または更に２：１〜１０：１となるように選択してよい。
【００４５】
界面活性剤−本発明による洗浄組成物は、界面活性剤または界面活性剤系を含んでよく、界面活性剤は、非イオン性界面活性剤、アニオン性界面活性剤、カチオン性界面活性剤、両性界面活性剤、双極性界面活性剤、半極性非イオン性界面活性剤およびこれらの混合物から選択され得る。存在する場合、界面活性剤は典型的に、標記組成物の約０．１重量％〜約６０重量％、約１重量％〜約５０重量％または更に約５重量％〜約４０重量％の濃度で存在する。
【００４６】
ビルダー−本発明の洗剤組成物は、１つ以上の洗剤ビルダーまたはビルダー系を含んでよい。ビルダーとしては、ポリホスフェートのアルカリ金属塩、アンモニウム塩およびアルカノールアンモニウム塩、アルカリ金属ケイ酸塩、アルカリ土類およびアルカリ金属の炭酸塩、アルミノケイ酸塩ビルダー、およびポリカルボキシレート化合物、エーテルヒドロキシポリカルボキシレート、無水マレイン酸とエチレンまたはビニルメチルエーテルとのコポリマー、１，３，５−トリヒドロキシベンゼン−２，４，６−トリスルホン酸およびカルボキシメチルオキシコハク酸、エチレンジアミン四酢酸およびニトリロ三酢酸のようなポリ酢酸の様々なアルカリ金属塩、アンモニウム塩および置換アンモニウム塩、並びに、例えばメリト酸、コハク酸、クエン酸、オキシジコハク酸、ポリマレイン酸、ベンゼン１，３，５−トリカルボン酸、カルボキシメチルオキシコハク酸などのポリカルボキシレート、並びにこれらの可溶性塩が挙げられるが、これらに限定されない。
【００４７】
キレート剤−本明細書の洗浄組成物は、キレート剤を包含してよい。適切なキレート剤としては、銅、鉄、および／またはマンガンキレート剤、並びに、これらの混合物が挙げられる。キレート剤を使用する場合、標記組成物は、キレート剤を標記組成物の約０．００５重量％〜約１５重量％、または更に約３．０重量％〜約１０重量％含んでよい。
【００４８】
移染防止剤−本発明の洗浄組成物には１つ以上の移染防止剤も含有させてもよい。好適なポリマー染料移行防止剤としては、ポリビニルピロリドンポリマー、ポリアミンＮ−オキシドポリマー、Ｎ−ビニルピロリドンおよびＮ−ビニルイミダゾールのコポリマー、ポリビニルオキサゾリドンおよびポリビニルイミダゾール、またはこれらの混合物が挙げられるが、これらに限定されない。標記組成物中に存在する場合、移染防止剤は、組成物の約０．０００１重量％〜約１０重量％、約０．０１重量％〜約５重量％、または更に約０．１重量％〜約３重量％の濃度で存在してよい。
【００４９】
増白剤−本発明の洗浄組成物は、洗浄される物品に色付けることのできる追加成分（蛍光光沢剤など）も包含することができる。好適な蛍光増白剤濃度としては、約０．０１重量％、約０．０５重量％、約０．１重量％、更には約０．２重量％の低い濃度から、０．５重量％または更に０．７５重量％の高い濃度までが挙げられる。
【００５０】
分散剤−本発明の組成物はまた、分散剤も含むことができる。適切な水溶性有機物質としては、ホモポリマーまたはコポリマーの酸またはそれらの塩が挙げられ、それらのうちのポリカルボン酸は、互いに炭素原子２つを超えない程度に離れている少なくとも２つのカルボキシルラジカルを含んでいる。
【００５１】
酵素−洗浄組成物は、洗浄性能および／または布地ケア効果を提供する１以上の酵素を含むことができる。好適な酵素の例としては、ヘミセルラーゼ、ペルオキシダーゼ、プロテアーゼ、セルラーゼ、キシラナーゼ、リパーゼ、ホスホリパーゼ、エステラーゼ、クチナーゼ、ペクチナーゼ、マンナナーゼ、ペクテートリアーゼ、ケラチナーゼ、レダクターゼ、オキシダーゼ、フェノールオキシダーゼ、リポキシゲナーゼ、リグニナーゼ、プルラナーゼ、タンナーゼ、ペントサナーゼ、グルカナーゼ、アラビノシダーゼ、ヒアルロニダーゼ、コンドロイチナーゼ、ラッカーゼ、アミラーゼ、またはそれらの混合物が挙げられるが、これらに限定されない。典型的な組み合わせは、例えば、プロテアーゼおよびリパーゼをアミラーゼと共に含んでよい酵素反応混液である。上述の追加酵素は、洗浄組成物に存在する場合、組成物の約０．００００１重量％〜約２重量％、約０．０００１重量％〜約１重量％または更に約０．００１重量％〜約０．５重量％の酵素タンパク質のレベルで存在してよい。
【００５２】
酵素安定剤−種々の技法によって、洗剤に使用する酵素を安定化させることができる。本明細書に用いられる酵素は、カルシウムイオンおよび／またはマグネシウムイオンを酵素に供給する、最終組成物中のそれらのイオンの水溶性供給源の存在によって安定化させることができる。プロテアーゼを含む水性組成物の場合、更に安定性を改善するために、可逆性蛋白質分解酵素抑制剤（ホウ素化合物など）を添加することができる。
【００５３】
触媒金属錯体−本出願人らの洗浄組成物は、触媒金属錯体を含むことができる。金属含有漂白触媒の１つの種類は、銅、鉄、チタン、ルテニウム、タングステン、モリブデン、またはマンガンの陽イオンのような、限定された漂白触媒活性の遷移金属陽イオン、亜鉛またはアルミニウムの陽イオンのような、漂白触媒活性をほとんどまたは全くもたない補助金属陽イオン、並びに触媒金属および補助金属の陽イオンに対して限定された安定度定数を有する金属イオン封鎖剤、特にエチレンジアミン四酢酸、エチレンジアミンテトラ（メチレンホスホン酸）およびそれらの水溶性の塩類含む触媒系である。このような触媒は、米国特許第４，４３０，２４３号に開示されている。
【００５４】
所望する場合、本明細書の組成物はマンガン化合物を用いて触媒作用され得る。このような化合物および使用濃度は当該技術分野で周知であり、例えば、米国特許第５，５７６，２８２号に開示されているマンガン系触媒が挙げられる。
【００５５】
本明細書において有用なコバルト漂白触媒は既知であり、例えば、米国特許第５，５９７，９３６号、同第５，５９５，９６７号に記載されている。そのようなコバルト触媒は、例えば米国特許第５，５９７，９３６号および同第５，５９５，９６７号に教示されているような、既知の手順によって容易に調製される。
【００５６】
本明細書の組成物はまた、例えば、ビスピドン（bispidone）（ＰＣＴ国際公開特許第０５／０４２５３２  Ａ１号）などの配位子の遷移金属錯体および／または大多環状剛性配位子（「ＭＲＬ」と略される）を適切に含んでもよい。実際問題として、限定するためではないが、本明細書の組成物および方法は、水性洗浄媒体において、少なくとも約１億分の１の活性ＭＲＬ種を提供するように調整することができ、典型的には、約０．００５ｐｐｍ〜約２５ｐｐｍ、約０．０５ｐｐｍ〜約１０ｐｐｍ、または更に約０．１ｐｐｍ〜約５ｐｐｍのＭＲＬを洗浄液中に提供する。
【００５７】
本遷移金属漂白触媒における好適な遷移金属としては、例えばマンガン、鉄およびクロムが挙げられる。適切なＭＲＬとしては、５，１２−ジエチル−１，５，８，１２−テトラアザビシクロ［６．６．２］ヘキサデカンが挙げられる。
【００５８】
好適な遷移金属ＭＲＬは、既知の手順、例えば、ＰＣＴ国際公開特許第００／３２６０１号、および米国特許第６，２２５，４６４号にて教示される手順によって容易に調製される。
【００５９】
溶媒−好適な溶媒としては、水および他の溶媒（例えば、親油性流体）が挙げられる。好適な親油性流体の例としては、シロキサン類、その他のシリコーン類、炭化水素類、グリコールエーテル類、例えばグリセリンエーテル類などのグリセリン誘導体類、ペルフルオロ化アミン類、ペルフルオロ化およびハイドロフルオロエーテル溶媒類、低揮発性の非フッ素化有機溶媒類、ジオール溶媒類、環境に優しいその他の溶媒類、並びにこれらの混合物が挙げられる。
【００６０】
組成物を生成する方法
本発明の組成物は、配合者により選択される、いかなる好適な形体に配合されることも、いかなるプロセスにより調整されることも可能であり、その非限定的な実施例は、本出願人らの実施例、および米国特許第４，９９０，２８０号、同第２００３００８７７９１（Ａ１）号、同第２００３００８７７９０（Ａ１）号、同第２００５０００３９８３（Ａ１）号、同第２００４００４８７６４（Ａ１）号、同第４，７６２，６３６号、同第６，２９１，４１２号、同第２００５０２２７８９１（Ａ１）号、欧州特許第１０７０１１５（Ａ２）号、米国特許第５、８７９，５８４号、同第５，６９１，２９７号、同第５，５７４，００５号、同第５，５６９，６４５号、同第５，５６５，４２２号、同第５，５１６，４４８号、同第５，４８９，３９２号、同第５，４８６，３０３号に記載されている。
【００６１】
使用方法
本発明は、ある場所、とりわけ表面または布帛を洗浄および／または処理する方法を含む。該方法は、所望により前記表面または布帛を洗うおよび／またはすすぎ洗いする工程と、前記表面または布帛を、純形態または洗浄液内で希釈させた本発明の組成物と接触させる工程と、次いで、所望により前記表面または布帛を洗うおよび／またはすすぎ洗いする工程とを含む。本発明の目的上、洗浄としては、擦ることおよび機械的攪拌が挙げられるが、これらに限定されない。当業者に理解されるように、本発明の洗浄組成物は理想的には洗濯用途に用いるのに適している。それ故に、本発明は布地を洗濯するための方法を含む。該方法は、本出願人らの洗浄組成物、洗浄添加剤またはそれらの混合物の少なくとも１つの実施形態を含む前記洗浄洗濯溶液で洗濯される布地に接触させるステップを含んでよい。布地は、標準的な消費者の使用条件で洗濯され得るいずれかの布地の大部分を含んでよい。溶液は、一様態において、約７．５〜約１０．５のｐＨ、または更に約８〜約１０．５のｐＨを有してよい。該組成物は、溶液中で約５００ｐｐｍ〜約１５，０００ｐｐｍの濃度で使用されてよい。水温は、典型的には約５℃〜約９０℃の範囲である。水対布地の比率は典型的には、約１：１〜約３０：１である。
【００６２】
試験方法
試験方法１−遊離カルシウム（Ｃａ＋＋）濃度の決定手順
方法の基準
遊離カルシウムは、カルシウムに対して特異的なイオン電極を使用して測定される。本測定技術は公知であり、分析化学（Analytical Chemistry）、Ｖｏｌ．４６、Ｎｏ．１、１９７４、１２〜１５頁等の多くの参照文献に例示されており、また、このような電極の使用を例示する手引書は、広く知られており入手可能である（例えば、メトローム（Metrohm）（英国バッキンガムシャー州）およびハッチ・レンジ社（HACH LANGE LTD.）（英国マンチェスター州）。以下の説明は、このような技術がどのように洗剤用の遊離カルシウムの測定に適用され得るのかを示す。
【００６３】
転正：
電極は使用前に転正される必要がある。１０００ｐｐｍのカルシウム標準液の連続希釈法により作製された、一連の既知である標準液を測定することにより行われてよい。完全な転正を行うために、１０００、１００、１０、１、および０．１ｐｐｍのＣａ２＋を含有する１００ｍＬの溶液を調製する。
【００６４】
２ｍＬのイオン強度調整緩衝溶液（ISAB）を各標準に加え、混合する。検出グラフを準備する。
【００６５】
試料の調製
ａ．６つの個別の１Ｌメスフラスコに、１０００ｐｐｍのカルシウム標準液を０、２０、３０、４０、５０、１００、および２００ｍＬ加え、脱イオン水を１リットルの容積になるまで加え、０、２０、３０、４０、５０、１００、および２００ｐｐｍのカルシウムを含有する溶液を作製する。１リットルの各カルシウム溶液を、１リットルのターゴトメーター用容器に移し、標準ターゴトメーターで１０分間攪拌する。
ｂ．上記工程ａからの各溶液５０ｍＬに、１ｍＬのＩＳＡＢ緩衝溶液を加え、カルシウムを測定する。これにより、初期の溶液が、期待されるカルシウム濃度を含有することが確認できる。
ｃ．上記工程ａからの各ターゴトメーター用容器へ、洗濯機または平均的な手洗い習慣での標準的な容量まで、製造業者の推奨する用量の洗剤を加えることで、実現されるであろう濃度と同一濃度を有する洗剤溶液を得るのに十分な洗剤を加える（実施例処方１〜６では、典型的な洗剤濃度は、１．５〜３ｇ／Ｌであり、実施例処方７〜１２では、典型的な洗剤濃度は、８〜９ｇ／Ｌであり、実施例処方１３〜１６では、典型的な洗剤濃度は、１．５ｇ／Ｌであり、実施例１７および１８では、典型的な洗剤濃度は、８〜９ｇ／Ｌであろう）。１０分間攪拌する。
ｄ．上記工程ｃからの各溶液５０ｍＬに、１ｍＬのＩＳＡＢ緩衝溶液を加え、電極を浸し、較正されたらカルシウムを読み取る（通常、数秒を要する）。これが、洗剤組成物の遊離カルシウムの読み取りである。
【００６６】
使用装置：
イオン選択性カルシウム電極：イオン選択性カルシウム電極は、広く入手可能である。本試験に使用されたものは、ＶＷＲインターナショナル社（VWR International Ltd.）（英国レスターシャー州）から供給され、次の部品を含む：カルシウムイオン用のイオン選択性電極（ＥＬＩＴ  ８０４１のＰＶＣ膜等）；参照電極：単一接合の塩化銀（ＥＬＩＴ  ００１等）：二元電極ヘッド（ＥＬＩＴ  ２０１等）；デル（Dell）のコンピュータに取り付けられるＥＬＩＴインターフェース／イオン分析器（ELIT Computer Interface/Ion Analyser）である。
【００６７】
標準液：１０００ｐｐｍの塩化カルシウム溶液は、塩化カルシウム（米国ミルウォーキーのシグマ・アルドリッチ（Sigma Aldrich）から供給）を脱イオン水で溶解することにより作製されることが可能であり、４モルのＫＣＩを含有する緩衝溶液（ＩＳＡＢ）は、ＶＷＲインターナショナル社（VWR International Ltd.）（英国レスターシャー州）から供給され得る。
【００６８】
標準ターゴトメーター：（例えば、カタログ番号、溶解試験機（Dissolution Tester）ＤＩＳ  ８０００で販売されるもの等の、コプリー・サイエンティフイック（Copley Scientific）（英国ノッティンガム州）から入手可能なモデル）。
【００６９】
試験方法２−酵素付着指数決定手順
方法の基準：
本方法は、適切な抗体との反応により、当業者に周知である、標準的な二抗体サンドイッチ（Double Antibody Sandwich）ＥＬＩＳＡ（ＤＡＳ−ＥＬＩＳＡ）法により検出可能な、様々なアミラーゼの残留酵素濃度を比較する（ＤＡＳ−ＥＬＩＳＡ技術は、例えば米国特許第５１８８９３７号および同第６８１８８０４号のような様々な特許、および、例えば、Ｌ．Ｓ．ミラー（Miller）著、「洗剤酵素のための自動イムノアッセイシステム（A robotic immunoassay system for detergent enzymes）」、実験室情報管理（Laboratory Information Management）、（１９９４、Ｖｏｌ．２６、７９〜８７頁）；ケメニー（Kemeny）Ｄ．Ｍ．およびシャラクーム（Challacombe）Ｓ．Ｊ．編、「ＥＬＩＳＡおよび他の固相イムノアッセイ、理論上および実用上の観点（ELISA and Other Solid Other Solid Phase Immunoassays. Theoretical and Practical Aspects）」内、バトラー（Butler）Ｊ．Ｅ．著、「サンドイッチＥＬＩＳＡ法の免疫化学：免疫グロブリン定量法の原理および適用（The immunochemistry of sandwich ELISA’s: principles and applications for the quantitative determination of immunoglobulins）」（ニューヨーク：ジョン・ウィリー・アンド・サンズ（John Wiley and Sons）、１９８８、１５５〜１８０頁）のような様々な文献論文、およびそれらに援用される参照文献に例示されている。）標準的な較正方法が使用される。
【００７０】
酵素付着指数（ＥＤＩ）は、（抽出された試験α−アミラーゼタンパク質の質量／布地１ｇ）および（抽出されたターマミル（Termamyl）（登録商標）タンパク質の質量／布地１ｇ）の比率である。従って、綿の布地の方程式は、方程式１である。本方法は、例えば、洗剤成分として使用するために酵素の適切性を決定する、および／または例えば洗剤用途の酵素の性能を予測するために使用され得る。
方程式１：ＥＤＩ＝（抽出された試験α−アミラーゼタンパク質の綿１ｇ当たりの質量）／（抽出されたターマミル（Termamyl）（登録商標）の綿１ｇ当たりの質量）
【００７１】
試料の調製
１．個別のターゴトメーター用容器に、１４５±１０ｐｐｍのカルシウムおよび２．０ｇの炭酸ナトリウム（米国ミルウォーキーのシグマ・アルドリッチ（Sigma Aldrich）から供給）を含有する９８０ｍＬの水を加える。１０分間攪拌し、溶解する。４０℃まで平衡させる。
２．０．６９ｇのＬＡＳ（平均脂肪族炭素鎖長Ｃ１１〜Ｃ１２を有する直鎖アルキルベンゼンスルホン酸塩）および０．３８ｇのＡＥ３Ｓ（Ｃ１２〜１５アルキルエトキシ（３）サルフェート）（共にステパン（Stepan）（米国イリノイ州ノースフィールド）により提供）を加える。攪拌して、溶解する。
３．研究される様々な酵素の液体試料を、異なるターゴトメーター用容器に加え、各容器に０．２ｍｇのアミラーゼが存在することを確認する。１つの容器は、他の酵素が指数化される際の参照としての役割を果たすために０．２ｍｇのターマミル（Termamyl）（登録商標）（デンマークのノボザイム（Novozymes）より入手可能）を含む必要がある。
４．必要であれば、１４５±１０ｐｐｍのカルシウムを含有する水を使用し、各容器の水分量を１リットルに調整する。得られた溶液は、６９０ｐｐｍのＬＡＳ、３８０ｐｐｍのＡＥ３Ｓ、２０００ｐｐｍの炭酸ナトリウム、および０．２ｐｐｍの酵素を含有するはずである。
５．各ターゴトメーター用容器に、それぞれ３．５±０．３ｇの重量の、布地コードＣＮ０３の、標準的な綿見本（例えばオランダの試験材センター（Center for Test Materials）（ＣＦＴ）社供給）を加える。綿の総重量は、ターゴトメーター用容器当たり１０．５±０．５ｇであるはずである。
６．ターゴトメーターの実行を開始する（条件は、４０±２℃、１５０ｒｐｍで、実行時間は２０分間）。
７．２０分後、布地を取り除き、余分な液体が視認されなくなるまで手で絞り、次いで１４５±１０ｐｐｍのカルシウムを含有する１リットルの水中で、ターゴトメーターで５分間すすぎ洗いする（条件は、水温２５±２℃、１５０ｒｐｍで攪拌）。
８．見本を取り除き、手で絞って余分な液体を取り除き、次いで３〜５時間室温で風乾させる。
９．
ａ．０．９３ｇ／Ｌの２−アミノ−２−（ヒドロキシメチル）−１、３−プロパンジオール（別名トリズマ（Trizma）塩基として知られる）と、
ｂ．４．９６ｇ／Ｌのチオ硫酸ナトリウム五水和物と、
ｃ．０．１４７ｇ／Ｌの無水塩化カルシウムと、
ｄ．２９．２２ｇ／Ｌの塩化ナトリウムと、
ｅ．１．０ｇのアジ化ナトリウムと、
ｆ．１．０ｇ／Ｌのポリエチレングリコールソルビタンモノラウレート（別名ＣＡＳ番号９００５−６４−５のツイーン（Tween）２０として知られる）と、を含む、抽出緩衝液を調製する。
緩衝液のｐＨは、使用前に、０．１Ｎの塩酸を使用して、ｐＨ＝８に調整する。全ての試薬は、シグマ・アルドリッチ社（Sigma Aldrich Company Ltd.）（英国ドーセット州）より入手可能である。
１０．重量確認済みの各見本を、個別の５０ｍＬ抽出管に入れ、２５ｍＬの抽出緩衝液を加える。抽出管を、１分間（±１０秒）手でしっかり振り、その後１５分間（±１分）放置し、その後再び１分間（±１０秒）しっかり振る。抽出管を、更に１５分間（±１分）放置し、最後に１分間（±１０秒）しっかり振る。
１１．得られた溶液を、Rosys Plato７３８１アナライザー（供給元、ロージーズアントス社（Rosys Anthos GmbH）（スイス、ホムブレヒティコン、フェルドバッハ  ＣＨ−８６３４）、または米国バージニア州のダイネックス・テクノロジーズ（Dynex Technologies）、または米国バーモント州のバイオテック（Biotech）より供給されるもの等、同等のＥＬＩＳＡ装置）を使用し、標準的なＥＬＩＳＡ法で測定する。
１２．標準較正曲線との比較による本試験から、検出されたアミラーゼタンパク質の質量を決定し、抽出された酵素の質量／布地１ｇを計算する。
１３．プロセス全体（工程１〜１２）を、更に３度繰り返し、更なるデータのセットを生成する。
１４．次に酵素付着指数が、各酵素につき、ｎｇアミラーゼタンパク質／ｇ布地で表される１２の読み取りの平均を取ることにより計算され（これらの１２の読み取りは、４回の実行のうちの各回からの、容器につき３片の布から得られる）、方程式１で示すように、該値を、ターマミル（Termamyl）（登録商標）タンパク質から観察されたものに指数化する。
【００７２】
使用装置
標準ターゴトメーター（例えば、カタログ番号、溶解試験機（Dissolution Tester）ＤＩＳ８０００で販売されるもの等のコプリー・サイエンティフイック（Copley Scientific）（英国ノッティンガム州）から入手可能なモデル）。
【実施例】
【００７３】
指示がない限り、材料はアルドリッチ（Aldrich）（米国５３２０１ウィスコンシン州ミルウォーキー私書箱２０６０）から入手可能である。
【００７４】
（実施例１〜６）
手洗い用またはトップローディング式洗濯機用に設計されている顆粒状洗濯洗剤組成物
【表１】
2009540043.tif 000002
＊  実施例１〜６については１００％に対する残部
【００７５】
（実施例７〜１２）
フロントローディング式自動洗濯機用に設計されている顆粒状洗濯洗剤組成物
【表２】
2009540043.tif 000003
＊  実施例７〜１２については１００％に対する残部
上記の組成物はいずれも、水中濃度７０００〜１００００ｐｐｍ、温度２０〜９０℃、水：布の比率５：１で布帛を洗濯する際に使用される。一般的なｐＨは約１０である。
【００７６】
（実施例１３〜１８）強力液体洗濯洗剤組成物
実施例１〜１８の組成物の原料および注記
【表３】
2009540043.tif 000004
【００７７】
実施例１〜１８の組成物の原料および注記
平均脂肪族炭素鎖長がＣ１１〜Ｃ１２である直鎖アルキルベンゼンスルホネートは、ステパン（Stepan）（米国イリノイ州ノースフィールド）から供給されている。
【００７８】
Ｃ１２〜１４ジメチルヒドロキシエチル塩化アンモニウムは、クラリアント社（Clariant GmbH）（ドイツ、シュルツバッハ）から供給される。
【００７９】
ＡＥ３Ｓは、ステパン（Stepan）（米国イリノイ州ノースフィールド）から供給されるＣ１２〜１５アルキルエトキシ（３）サルフェートである。
【００８０】
ＡＥ７は、ハンツマン（Huntsman）（米国ユタ州ソルトレークシティ）から供給される、平均エトキシル化度が７のＣ１２〜１５アルコールエトキシレートである。
【００８１】
ナトリウムトリポリホスフェートは、ローディア（Rhodia）（フランス、パリ）から供給されている。
【００８２】
ゼオライトＡは、インダストリアル・ゼオライト（ＵＫ）（Industrial Zeolite（UK）Ltd）（英国エセックス州グレイズ）から供給される。
【００８３】
１．６Ｒケイ酸塩は、コマ（Koma）（チェコ共和国ネステミカ（Nestemica））から供給される。
【００８４】
炭酸ナトリウムは、ソルベー（Solvay）（米国テキサス州ヒューストン）から供給される。
【００８５】
ポリアクリレートＭＷ  ４５００は、ＢＡＳＦ（ドイツ、ルードヴィヒスハーフェン）から供給される。
【００８６】
カルボキシメチルセルロースは、ＣＰＫｅｌｃｏ社（オランダ、アーネム）から供給されているフィンフィックス（Finnfix）（登録商標）ＢＤＡである。
【００８７】
好適なキレート材は、例えば、ダウ・ケミカル（Dow Chemical）（米国ミシガン州ミッドランド）から供給されているジエチレントリアミン五酢酸（ＤＴＰＡ）、またはソルーシア（Solutia）（米国ミズーリ州セントルイス）から供給されているヒドロキシエタンジホスホネート（ＨＥＤＰ）、（デンマーク、バウスヴェド）がある。
【００８８】
米国特許第６，３１２，９３６（Ｂ１）号に記載のプロテアーゼ（実施例７〜１２）は、ジェネンコア・インターナショナル（Genencor International）（米国カリフォルニア州パロアルト）より供給されている。
【００８９】
米国特許第４，７６０，０２５号に記載のプロテアーゼ（実施例１３〜１８）は、ジェネンコア・インターナショナル（Genencor International）（米国カリフォルニア州パロアルト）から供給されている。
【００９０】
＊  好適なアミラーゼは、例えば、ジェネンコア・インターナショナル（Genencor International）（米国カリフォルニア州パロアルト）から供給されているオプティサイズ（登録商標）ＨＴプラス（Optisize （Registered trademark） HT Plus）、または本明細書に具体的に記載されている他の全てのアミラーゼである。
【００９１】
蛍光増白剤１はチノパル（Tinopal）（登録商標）ＡＭＳ、蛍光増白剤２はチノパル（Tinopal）（登録商標）ＣＢＳ−Ｘ、スルホン化亜鉛フタロシアニンおよびダイレクトバイオレット９はペルガゾール（Pergasol）（登録商標）バイオレットＢＮ−Ｚであり、これらは全てチバスペシャルティケミカルズ（Ciba Specialty Chemicals）（スイス、バーゼル）から供給される。
【００９２】
ナトリウムペルカーボネートは、ソルベー（Solvay）（米国テキサス州ヒューストン）から供給されている。
【００９３】
過ホウ酸ナトリウムは、デグッサ（Degussa）（ドイツ、ハーナウ）から供給される。
【００９４】
ＮＯＢＳは、イーストマン（Eastman）（米国アーカンソー州ベーツビル）から供給されているナトリウムノナノイルオキシベンゼンスルホネートである。
【００９５】
ＴＡＥＤは、クラリアント（Clariant GmbH）（ドイツ、シュルツバッハ）からパーアクティブ（Peractive）（登録商標）のブランド名で供給されているテトラアセチルエチレンジアミンである。
【００９６】
Ｓ−ＡＣＭＣは、メガザイム（Megazyme）（アイルランド、ウィックロー）からアゾ−ＣＭ−セルロース（AZO-CM-CELLULOSE）という製品名、製品コードＳ−ＡＣＭＣとして市販される、Ｃ．Ｉ．リアクティブブルー１９で共役されるカルボキシメチルセルロースである。
【００９７】
汚れ放出剤は、ローディア（Rhodia）（フランス、パリ）から供給されるリペロテックス（Repel-o-tex）（登録商標）ＰＦである。
【００９８】
アクリル酸／マレイン酸コポリマーは、分子量が７０，０００およびアクリレート：マリエートの比率が７０：３０であり、ＢＡＳＦ（ドイツ、ルードヴィヒスハーフェン）から供給されている。
【００９９】
エチレンジアミン−Ｎ，Ｎ’−二コハク酸、（Ｓ，Ｓ）異性体（ＥＤＤＳ）のＮａ塩は、オクテル（Octel）（英国エルズミアポート）から供給される。
【０１００】
ヒドロキシエタンジホスホネート（ＨＥＤＰ）は、ダウ・ケミカル（Dow Chemical）（米国ミシガン州ミッドランド）から供給される。
【０１０１】
泡抑制剤疑集体は、ダウコーニング（Dow Corning）（米国ミシガン州ミッドランド）から供給される。
【０１０２】
ＨＳＡＳは、米国特許第６，０２０，３０３号および同第６，０６０，４４３号で開示されているような中鎖分枝状アルキルサルフェートである。
【０１０３】
Ｃ１２〜１４ジメチルアミンオキシドは、プロクター＆ギャンブル・ケミカルズ（Procter & Gamble Chemicals）（米国オハイオ州シンシナティ）から供給される。
【０１０４】
リキッティント（Liquitint）（登録商標）バイオレットＣＴは、ミリケン（Milliken）（米国サウスカロライナ州スパータンバーグ）から供給される。
【０１０５】
１米国特許第４，５９７，８９８号に記載のとおり。
【０１０６】
２ＢＡＳＦからルーテンシト（LUTENSIT）（登録商標）という商品名で市販されていると共に、国際公開第０１／０５８７４号に記載されているもの等。
【０１０７】
本発明の「発明を実施するための最良の形態」で引用した全ての文献は、関連部分において、参照することにより本明細書に組み込まれるが、いずれの文献の引用も、それが本発明に対する先行技術であることを容認するものとして解釈されるべきではない。本書における用語の任意の意味または定義が、参照して組み込まれた文献における同一の用語の任意の意味または定義と相反する限りにおいて、本書においてその用語に与えられた意味または定義が適用されるものとする。
【０１０８】
本発明の特定の諸実施形態を図示し、記載したが、本発明の趣旨および範囲から逸脱することなく他の様々な変更および修正を実施できることは当業者には自明であろう。従って、本発明の範囲内にあるかような全ての変更および修正を、付加された許請求の範囲でカバーするものとする。
【国際調査報告】
2009540043.tif 000005
2009540043.tif 000006
2009540043.tif 000007
2009540043.tif 000008
2009540043.tif 000009